(57)【特許請求の範囲】
【請求項１】
管理サーバに記憶された少なくとも建築図面情報を含む原画情報を端末装置に表示し、該端末装置により、その表示した原画情報に対する修正情報を付与して前記管理サーバに記憶する建築図面情報修正装置であって、
前記管理サーバは、前記原画情報を表示する原画情報画面と、該原画情報画面に関連付けられた未記入の修正情報画面と、該原画情報画面に関連付けられた記入済みの修正情報画面とを互いに関連付けて記憶する記憶装置と、
前記端末装置から前記管理サーバにアクセスし、特定の原画情報画面の呼び出しがあった時に、その呼び出された原画情報画面を前記記憶装置から検索して該端末装置に表示させる制御装置と、
を備え、
前記制御装置は、前記端末装置から特定の原画情報に対して、文字、音声または画像を付与方式が選択可能な入力手段により選択して入力した文字、音声または画像である修正情報を付与する旨の命令がされた時に、その特定の前記原画情報を表示する原画情報画面に該原画情報画面に関連付けられた未記入の修正情報画面を重ね合わせて前記端末装置に表示し、該端末装置により前記未記入の修正情報画面に対して前記文字、音声または画像である修正情報を入力した記入済みの修正情報画面を前記記憶装置に記憶させることを特徴とする建築図面情報修正装置。
【請求項２】
管理サーバに記憶された少なくとも建築図面情報を含む原画情報を端末装置に表示し、該端末装置により、その表示した原画情報に対する修正情報を付与して前記管理サーバに記憶する建築図面情報修正装置であって、
前記管理サーバは、前記原画情報を表示する原画情報画面と、該原画情報画面に関連付けられた未記入の修正情報画面と、該原画情報画面に関連付けられた記入済みの修正情報画面とを互いに関連付けて記憶する記憶装置と、
前記端末装置から前記管理サーバにアクセスし、特定の原画情報画面の呼び出しがあった時に、その呼び出された原画情報画面を前記記憶装置から検索して該端末装置に表示させる制御装置と、
を備え、
前記制御装置は、
端末装置から原画情報に対して入力された修正情報を付与する旨の命令がされた時に、前記原画情報を表示する原画情報画面に該原画情報画面に関連付けられた第一の未記入の修正情報画面を重ね合わせて前記端末装置に表示して、該端末装置により前記第一の未記入の修正情報画面に対して修正情報を入力した第一の記入済みの修正情報画面を、前記記憶装置に記憶させ、
前記第一の記入済みの修正情報画面に応じて修正した修正済みの原画情報画面に該修正済みの原画情報画面に関連付けられた第二の未記入の修正情報画面を重ね合わせて前記端末装置に表示して、該端末装置により前記第二の未記入の修正情報画面に対して修正情報を入力した第二の記入済みの修正情報画面を、前記記憶装置に記憶させる制御装置であって、
前記端末装置に表示される、前記第一の記入済みの修正情報画面の各修正情報と、前記第二の記入済みの修正情報画面の各修正情報とが、各々対応して表示されていることを特徴とする建築図面情報修正装置。
【請求項３】
前記記入済みの修正情報画面の各修正情報には、年月日時刻が付与されて前記記憶装置に記憶されており、
前記制御装置は、互いに関連付けられた前記原画情報画面、または前記修正済みの原画情報画面、及び前記記入済みの修正情報画面を年月日時刻を参照して時系列に並べて前記端末装置に表示させることを特徴とする請求項１または請求項２に記載の建築図面情報修正装置。
【請求項４】
前記記入済みの修正情報画面の各修正情報には、追加、削除または移動の修正内容の属性が付与されて前記記憶装置に記憶されており、該追加、削除または移動の属性情報を抽出条件として追加、削除または移動に該当する修正情報を検索することを特徴とする請求項３に記載の建築図面情報修正装置。
【請求項５】
前記原画情報画面は立体図面を含むことを特徴とする請求項１〜４のいずれか１項に記載の建築図面情報修正装置。
【請求項６】
管理サーバに記憶された少なくとも建築図面情報を含む原画情報を端末装置に表示し、該端末装置により、その表示した原画情報に対する修正情報を付与して前記管理サーバに記憶する建築図面情報修正方法であって、
前記端末装置から前記管理サーバにアクセスして管理サーバの記憶装置に記憶された原画情報画面及び該原画情報画面に関連付けられた未記入の修正情報画面を呼び出して該原画情報画面及び未記入の修正情報画面を重ね合わせた状態で前記端末装置に表示し、
前記端末装置により前記原画情報画面を基に該原画情報画面に関連付けられた未記入の修正情報画面に対して、文字、音声または画像を付与方式が選択可能な入力手段により文字、音声または画像である修正情報を入力し、
該修正情報を入力した記入済みの修正情報画面を前記端末装置に表示することを特徴とする建築図面情報修正方法。
【請求項７】
管理サーバに記憶された少なくとも建築図面情報を含む原画情報を端末装置に表示し、該端末装置により、その表示した原画情報に対する修正情報を付与して前記管理サーバに記憶する建築図面情報修正方法であって、
前記端末装置から前記管理サーバにアクセスして該管理サーバの記憶装置に記憶された原画情報画面及び該原画情報画面に関連付けられた第一の未記入の修正情報画面を呼び出して該原画情報画面及び第一の未記入の修正情報画面を重ね合わせた状態で前記端末装置に表示し、
前記端末装置により前記原画情報画面を基に該原画情報画面に関連付けられた第一の未記入の修正情報画面に対して修正情報を入力し、第一の記入済みの修正情報画面を前記端末装置に表示し、
前記第一の記入済みの修正情報画面に応じて修正した修正済みの原画情報画面に該修正済みの原画情報画面に関連付けられた第二の未記入の修正情報画面を重ね合わせて端末装置に表示し、
該端末装置により前記第二の未記入の修正情報画面に対して修正情報を入力して、該修正情報を記入済みの第二の記入済みの修正情報画面を前記端末装置に表示する場合において、
前記第一の記入済みの修正情報画面に表示された各修正情報と、前記第二の記入済みの修正情報画面の各修正情報とが各々対応して前記端末装置に表示されることを特徴とする建築図面情報修正方法。
【発明の詳細な説明】
【０００１】
【発明の属する技術分野】
本発明は、管理サーバに記憶された図面情報を含む原画情報を通信網を介して端末装置によりその内容を確認したり、必要に応じて修正情報を付与することが出来る建築図面情報修正装置及び建築図面情報修正方法に関するものである。
【０００２】
【従来の技術】
一般に、建築や機械等に関する情報は文章による仕様説明と図面を含んでいる。従来、これ等の情報をインターネット等の通信回線を利用して共有化する場合には、管理サーバ等に文字情報と、それに関連付けられた図面情報を記憶しておき、端末装置から、それ等の情報を呼び出して表示出来るようにしたものがある。
【０００３】
【発明が解決しようとする課題】
例えば、住宅メーカーが通信回線を利用してユーザに設計情報の確認や承認を求める場合において、ユーザが図面上に表示された情報を確認した結果、その修正を希望する場合がある。
【０００４】
しかしながら、前述の従来例では、ユーザが端末装置から図面に修正コメント等を書き込むことは出来ないのが一般である。図面修正が出来るようにプログラムすることも考えられるが、この場合、原画図面自体が修正されてしまうため設計側の管理が不可能になり、実用上は採用出来ないという問題があった。
【０００５】
本発明は前記課題を解決するものであり、その目的とするところは、管理サーバに記憶されている図面情報を含む原画情報に対して端末装置から修正情報を付与することが出来、修正により原画情報等の基礎データが失われる虞がない建築図面情報修正装置及び建築図面情報修正方法を提供せんとするものである。
【０００６】
【課題を解決するための手段】
前記目的を達成するための本発明に係る建築図面情報修正装置の代表的な構成は、管理サーバに記憶された少なくとも建築図面情報を含む原画情報を端末装置に表示し、該端末装置により、その表示した原画情報に対する修正情報を付与して前記管理サーバに記憶する建築図面情報修正装置であって、前記管理サーバは、前記原画情報を表示する原画情報画面と、該原画情報画面に関連付けられた未記入の修正情報画面と、該原画情報画面に関連付けられた記入済みの修正情報画面とを互いに関連付けて記憶する記憶装置と、前記端末装置から前記管理サーバにアクセスし、特定の原画情報画面の呼び出しがあった時に、その呼び出された原画情報画面を前記記憶装置から検索して該端末装置に表示させる制御装置とを備え、前記制御装置は、前記端末装置から特定の原画情報に対して、文字、音声または画像を付与方式が選択可能な入力手段により選択して入力した文字、音声または画像である修正情報を付与する旨の命令がされた時に、その特定の前記原画情報を表示する原画情報画面に該原画情報画面に関連付けられた未記入の修正情報画面を重ね合わせて前記端末装置に表示し、該端末装置により前記未記入の修正情報画面に対して前記文字、音声または画像である修正情報を入力した記入済みの修正情報画面を前記記憶装置に記憶させることを特徴とする。
【０００７】
本発明は、上述の如く構成したので、管理サーバの記憶装置に原画情報を表示する原画情報画面と、それに対応する修正情報画面を記憶しておき、例えば、ユーザ側の端末装置から通信網を介して管理サーバの記憶装置に記憶された原画情報画面を呼び出すと、呼び出された原画情報画面に修正情報画面が重ね合わされた状態（２層）になって表示される。
【０００８】
ユーザは原画情報画面と修正情報画面との重なりを意識することなく原画情報画面上に修正情報を付与する感覚で修正情報画面に修正情報を付与することが出来、原画情報は何ら修正されず、保全を確保することが出来る。記入済みの修正情報画面は管理サーバの記憶装置に記憶される。
【０００９】
一方、メーカー側の端末装置から原画情報画面を呼び出す時も該原画情報画面に関連付けられた記入済みの修正情報画面が原画情報画面に重なった状態で表示され、原画情報のどの部分に修正情報が付与されたかを容易に確認することが出来る。
【００１０】
また、管理サーバに記憶された少なくとも建築図面情報を含む原画情報を端末装置に表示し、該端末装置により、その表示した原画情報に対する修正情報を付与して前記管理サーバに記憶する建築図面情報修正装置であって、前記管理サーバは、前記原画情報を表示する原画情報画面と、該原画情報画面に関連付けられた未記入の修正情報画面と、該原画情報画面に関連付けられた記入済みの修正情報画面とを互いに関連付けて記憶する記憶装置と、前記端末装置から前記管理サーバにアクセスし、特定の原画情報画面の呼び出しがあった時に、その呼び出された原画情報画面を前記記憶装置から検索して該端末装置に表示させる制御装置とを備え、前記制御装置は、端末装置から原画情報に対して入力された修正情報を付与する旨の命令がされた時に、前記原画情報を表示する原画情報画面に該原画情報画面に関連付けられた第一の未記入の修正情報画面を重ね合わせて前記端末装置に表示して、該端末装置により前記第一の未記入の修正情報画面に対して修正情報を入力した第一の記入済みの修正情報画面を、前記記憶装置に記憶させ、前記第一の記入済みの修正情報画面に応じて修正した修正済みの原画情報画面に該修正済みの原画情報画面に関連付けられた第二の未記入の修正情報画面を重ね合わせて前記端末装置に表示して、該端末装置により前記第二の未記入の修正情報画面に対して修正情報を入力した第二の記入済みの修正情報画面を、前記記憶装置に記憶させる制御装置であって、前記端末装置に表示される、前記第一の記入済みの修正情報画面の各修正情報と、前記第二の記入済みの修正情報画面の各修正情報とが、各々対応して表示されている場合には、ユーザ側で修正情報が付与された記入済みの修正情報画面に応じて修正した原画情報画面に未記入の修正情報画面を重ね合わせて表示することで、メーカー側では修正済みの原画情報画面と修正情報画面との重なりを意識することなく修正済みの原画情報画面上に修正情報を付与する感覚で修正情報画面に修正情報を付与することが出来、修正済みの原画情報は何ら修正されず、保全を確保することが出来る。記入済みの修正情報画面は管理サーバの記憶装置に記憶される。
【００１１】
また、前記記入済みの修正情報画面の各修正情報には、年月日時刻が付与されて前記記憶装置に記憶されており、前記制御装置が、互いに関連付けられた前記原画情報画面、または前記修正済みの原画情報画面、及び前記記入済みの修正情報画面を年月日時刻を参照して時系列に並べて前記端末装置に表示させる場合には、原画情報画面、修正済みの原画情報画面、記入済みの修正情報画面を適宜選択的に時系列に並べて見ることで一連の履歴を容易に確認することが出来る。
【００１２】
特に、原画情報画面と記入済みの修正情報画面と修正済みの原画情報画面とを時系列に並べて表示することでユーザとメーカー側との折衝履歴が容易に確認出来、折衝の事実査証ともなるので受注トラブルの発生を未然に防止することが出来る。
【００１３】
また、前記記入済みの修正情報画面の各修正情報には、追加、削除または移動の修正内容の属性が付与されて前記記憶装置に記憶されており、該追加、削除または移動の属性情報を抽出条件として追加、削除または移動に該当する修正情報を検索することが出来る。
【００１４】
また、前記原画情報画面は立体図面を含むことが出来る。
【００１５】
また、本発明に係る建築図面情報修正方法は、管理サーバに記憶された少なくとも建築図面情報を含む原画情報を端末装置に表示し、該端末装置により、その表示した原画情報に対する修正情報を付与して前記管理サーバに記憶する建築図面情報修正方法であって、前記端末装置から前記管理サーバにアクセスして管理サーバの記憶装置に記憶された原画情報画面及び該原画情報画面に関連付けられた未記入の修正情報画面を呼び出して該原画情報画面及び未記入の修正情報画面を重ね合わせた状態で前記端末装置に表示し、前記端末装置により前記原画情報画面を基に該原画情報画面に関連付けられた未記入の修正情報画面に対して、文字、音声または画像を付与方式が選択可能な入力手段により文字、音声または画像である修正情報を入力し、該修正情報を入力した記入済みの修正情報画面を前記端末装置に表示することを特徴とする。
【００１６】
上記方法によれば、図面情報を含む原画情報を管理サーバに記憶しておき、通信網を利用して端末装置から原画情報を表示する原画情報画面と、それに関連付けられた未記入の修正情報画面を重ねた状態で該未記入の修正情報画面に修正情報を入力し、その記入済みの修正情報画面を管理サーバの記憶装置に記憶することで、その原画情報を損傷することなく保全を確保することが出来、遠隔地から通信網を介して図面情報に修正情報を付与した状態で相手に修正内容を正確に伝えることが出来る。
【００１７】
また、前記記入済みの修正情報画面に基づいて修正した修正済みの原画情報画面に該記入済みの修正情報画面を重ね合わせた状態で前記端末装置に表示するように構成した場合には、メーカー側で修正した修正済みの原画情報画面にユーザ側で記入した記入済みの修正情報画面を重ね合わせて確認することが出来、更にはメーカー側で修正した修正済みの原画情報画面にメーカー側で記入した記入済みの修正情報画面を重ね合わせて確認することが出来る。
【００１８】
また、本発明に係る建築図面情報修正方法の他の構成は、管理サーバに記憶された少なくとも建築図面情報を含む原画情報を端末装置に表示し、該端末装置により、その表示した原画情報に対する修正情報を付与して前記管理サーバに記憶する建築図面情報修正方法であって、前記端末装置から前記管理サーバにアクセスして該管理サーバの記憶装置に記憶された原画情報画面及び該原画情報画面に関連付けられた第一の未記入の修正情報画面を呼び出して該原画情報画面及び第一の未記入の修正情報画面を重ね合わせた状態で前記端末装置に表示し、前記端末装置により前記原画情報画面を基に該原画情報画面に関連付けられた第一の未記入の修正情報画面に対して修正情報を入力し、第一の記入済みの修正情報画面を前記端末装置に表示し、前記第一の記入済みの修正情報画面に応じて修正した修正済みの原画情報画面に該修正済みの原画情報画面に関連付けられた第二の未記入の修正情報画面を重ね合わせて端末装置に表示し、該端末装置により前記第二の未記入の修正情報画面に対して修正情報を入力して、該修正情報を記入済みの第二の記入済みの修正情報画面を前記端末装置に表示する場合において、前記第一の記入済みの修正情報画面に表示された各修正情報と、前記第二の記入済みの修正情報画面の各修正情報とが各々対応して前記端末装置に表示されることを特徴とする。
【００１９】
【発明の実施の形態】
図により本発明に係る建築図面情報修正装置及び建築図面情報修正方法の一例として住宅図面を含む原画情報に修正情報を付与する場合の一実施形態を具体的に説明する。図１は本発明に係る建築図面情報修正装置の構成を示すブロック図、図２は管理サーバに設けられた記憶装置の構成を示すブロック図、図３は原画情報画面と未記入の修正情報画面とを重ね合わせた重ね合わせ画面の原理を説明する図である。
【００２０】
また、図４はユーザ側の端末装置から原画情報画面を確認すると同時に未記入の修正情報画面に修正情報を入力する様子を示すフローチャート、図５は初期画面として立体外観図が表示された様子を示す図、図６（ａ），（ｂ）は平面図を選択して修正情報を入力するために修正情報画面を活性化する様子を示す図、図７（ａ），（ｂ）は修正情報を入力する様子を示す図、図８（ａ）は入力した修正情報を保存する様子を示す図、図８（ｂ）は修正情報に応じてユーザの希望通りに修正した修正済みの原画情報画面により修正結果を確認する様子を示す図、図９は折衝履歴を説明する図である。
【００２１】
図１において、１は管理サーバであり、その内部には制御装置となるサーバ装置２、記憶装置３、通信モデム４等が設けられている。記憶装置３には、図２に示すように、少なくとも図面情報を含む原画情報を表示する原画情報画面ａと、該原画情報画面ａに関連付けられた未記入の修正情報画面ｂと、該原画情報画面ａに関連付けられた記入済みの修正情報画面ｃと、ユーザの修正情報に応じて希望に沿うようにメーカー側で修正された修正済みの原画情報画面ｄとが、互いに関連付けられて夫々別々の記憶エリアＡ，Ｂ，Ｃ，Ｄに記憶される。
【００２２】
また、記憶エリアＣ，Ｄに夫々記憶された記入済みの修正情報画面ｃ及び修正済みの原画情報画面ｄは記憶装置３内に記憶された年月日時刻からなる格納時刻Ｔと、追加、削除、移動等の修正内容からなる抽出コードが関連付けられて記憶される。
【００２３】
５，６は、夫々メーカー側或いはユーザ側で利用されるパーソナルコンピュータ（以下、「パソコン」という）や携帯情報端末機、或いは携帯電話機等の通信網となるインターネット13を介して管理サーバ１と接続可能な端末装置である。尚、通信網としてはインターネット13の他に専用回線や通信衛星等を利用した空中電波回線等を利用しても良い。
【００２４】
メーカー側及びユーザ側の端末装置５，６には、制御手段となるＣＰＵ（中央演算装置）７、記憶手段となるメモリ８、入力手段となるキーボード９やマウス10、液晶ディスプレイやＣＲＴ(陰極線管)等の表示装置11、出力手段となるプリンタ12、通信モデム４等が設けられている。
【００２５】
管理サーバ１の記憶装置３には、図２に示すように、Ａ〜Ｄの記憶エリアが設けられている。記憶エリアＡには、少なくとも図面情報を含む原画情報を表示する原画情報画面ａ１，ａ２，ａ３，…，ａｎが記憶されており、記憶エリアＢには、記憶エリアＡに記憶された原画情報画面ａ１，ａ２，ａ３，…，ａｎに夫々対応する未記入の修正情報画面ｂ１，ｂ２，ｂ３，…，ｂｎが記憶されている。
【００２６】
原画情報画面ａは、互いに関連する複数の原画情報画面ａの集合体からなり、メーカー側或いはユーザ側の端末装置５，６により、その集合体の中から特定の原画情報画面ａを選択する旨の命令が入力された時にサーバ装置２は、その特定の原画情報画面ａをメーカー側或いはユーザ側の端末装置５，６の表示装置11に表示させる（図６（ａ）参照）。
【００２７】
更にユーザ側の端末装置６によりその呼び出された原画情報画面ａに対して修正を付与したい旨の命令が入力された時にサーバ装置２は、その特定の原画情報画面ａに関連付けられた未記入の修正情報画面ｂを該原画情報画面ａに重ね合わせた状態（積層した状態）で一体化させてユーザ側の端末装置６の表示装置11に表示させる（図６（ｂ）参照）。
【００２８】
また、記憶エリアＣには、記憶エリアＢに記憶された未記入の修正情報画面ｂ１，ｂ２，ｂ３，…，ｂｎにユーザが修正情報を付与した記入済みの修正情報画面ｃ１，ｃ１′，ｃ１″，…，ｃ２，ｃ２′，ｃ２″，…，ｃ３，ｃ３′，ｃ３″，…，ｃｎ，ｃｎ′，ｃｎ″，…が記憶され、夫々の記入済みの修正情報画面ｃには記憶装置３内に記憶された年月日時刻からなる格納時刻ＴＣと、追加、削除、移動等の修正内容からなる抽出コードが関連付けられて記憶される。
【００２９】
また、記憶エリアＤには、記憶エリアＣに記憶された記入済みの修正情報画面ｃ１，ｃ１′，ｃ１″，…，ｃ２，ｃ２′，ｃ２″，…，ｃ３，ｃ３′，ｃ３″，…，ｃｎ，ｃｎ′，ｃｎ″，…に応じてメーカー側が原画情報画面ａを修正した修正済みの原画情報画面ｄ１，ｄ１′，ｄ１″，…，ｄ２，ｄ２′，ｄ２″，…，ｄ３，ｄ３′，ｄ３″，…，ｄｎ，ｄｎ′，ｄｎ″，…が記憶され、夫々の修正済みの原画情報画面ｄは記憶装置３内に記憶された年月日時刻からなる格納時刻ＴＤと、追加、削除、移動等の修正内容からなる抽出コードが関連付けられて記憶される。
【００３０】
上記記憶エリアＣ，Ｄに格納された記入済みの修正情報画面ｃ及び修正済みの原画情報画面ｄは、同一の原画情報画面ａ１，ａ２，ａ３，…，ａｎに対して、ユーザから複数回に亘って修正情報が付与され、更に、これ等複数回の修正情報に応じてメーカー側で随時原画情報を修正する場合を想定している。
【００３１】
図３は図面情報の一例として、住宅の立体図面である立体外観図、立面図、立体内観図、更には敷地図、平面図等の各種の建築図面を含む原画情報画面ａと、該原画情報画面ａに対応する未記入の修正情報画面ｂとを重ね合わせて表示する原理構成を示す一例である。
【００３２】
図３の右上に示す原画情報画面ａには立体外観図を選択して表示するための立体外観ボタン14ａ、敷地図を選択して表示するための敷地図ボタン14ｂ、平面図を選択して表示するための平面図ボタン14ｃ、立面図を選択して表示するための立面図ボタン14ｄ、立体内観図を選択して表示するための立体内観ボタン14ｅを備えた選択表示ボタン14がメニューバーとして設けられている。
【００３３】
そして、選択手段となる各選択表示ボタン14をマウス10等を利用してクリックすると、所望の原画情報画面ａが選択されてユーザ側或いはメーカー側の端末装置５，６の表示装置11に表示される。図３では平面図ボタン14ｃをクリックして平面図からなる原画情報画面ａ３が表示された一例を示す。
【００３４】
図３の左中央に示す未記入の修正情報画面ｂには原画情報画面ａの原画情報（例えば、原画情報画面ａ３の実際の平面図の領域）に対応した大きさと形状を有する活性エリア15ａが設けられており、該活性エリア15ａの領域内でマウス10を利用してマウスポインタ16をポイント、或いはドラックして、原画情報画面ａにおける修正位置の点指定や領域指定が出来るようになっている。
【００３５】
また、未記入の修正情報画面ｂには、表示された原画情報画面ａに対して修正情報を付与する際にクリックするコメントボタン15b1と、修正情報の付与方式（文字、音声、画像）を選択したり、修正内容やコメント等を入力するためのコメント欄15ｃが設けられている。
【００３６】
そして、ユーザ側の端末装置６からインターネット13を介して管理サーバ１にアクセスし、特定の原画情報画面ａとして、例えば、住宅の平面図を選択して呼び出した時、管理サーバ１の記憶装置３の記憶エリアＡから、その呼び出された平面図からなる原画情報画面ａ３が検索抽出されて呼び出され、ユーザ側の端末装置６の表示装置11に表示される。
【００３７】
更に、ユーザ側の端末装置６からマウス10を用いて原画情報画面ａ３に設けられたコメントボタン15b1をクリックすることで原画情報画面ａ３の原画情報に対して修正情報を付与する旨の命令が入力され、管理サーバ１の記憶装置３の記憶エリアＢから該原画情報画面ａ３に対応する活性エリア15ａを有する未記入の修正情報画面ｂ３が選択されて呼び出され、図３の中央下に示すように原画情報画面ａ３と、これに対応する未記入の修正情報画面ｂ３とを重ね合わせてユーザ側の端末装置６の表示装置11に表示される。
【００３８】
次に図４〜図８を用いてユーザ側の端末装置６から原画情報画面ａを確認して修正し、更にはその記入済みの修正情報画面ｃに記載された修正内容に応じてメーカー側で修正した修正済みの原画情報画面ｄを確認する様子について説明する。
【００３９】
先ず、予め会員登録されたユーザには管理サーバ１にアクセスするための認証パスワードが付与されており、ユーザ側の端末装置６からキーボード９やマウス10を利用して管理サーバ１がインターネット13上に提供するウエブサイトにアクセスしてユーザ名やパスワード等を入力する。
【００４０】
入力されたユーザ名とパスワードは管理サーバ１の制御装置となるサーバ装置２により照会され、認証された場合にユーザは管理サーバ１にアクセスすることが出来る（ステップＳ１）。
【００４１】
ユーザが入力したユーザ名やパスワードは、そのユーザの住宅計画案の電子ファイルに関連付けられており、認証されたユーザ側の端末装置６の表示装置11に初期画面として図５に示す計画案の立体外観図の原画情報画面ａ１が表示される（ステップＳ２）。尚、本実施形態では立体外観図を初期画面としたが、他の各種の画面を初期画面としても良い。
【００４２】
図５に示すように初期画面となる立体外観図の原画情報画面ａ１の左側に設けられた選択表示ボタン14の敷地図ボタン14ｂ、平面図ボタン14ｃ、立面図ボタン14ｄ、立体内観ボタン14ｅを適宜選択してクリックすることで（ステップＳ３）、敷地図の原画情報画面ａ２、平面図の原画情報画面ａ３、立面図の原画情報画面ａ４、立体内観図の原画情報画面ａ５を選択して表示させることが出来（ステップＳ４）、更に立体外観ボタン14ａを選択してクリックすることで初期画面の立体外観図の原画情報画面ａ１に戻ることが出来る。
【００４３】
ステップＳ５において、ユーザ側で、これ等の図面を適宜確認した後、特にコメントや修正を希望する箇所が無ければ、ステップＳ６に進み、図示しない確認ボタン等をクリックして終了する（ステップＳ25）。また、前記ステップＳ５において、コメントや修正を希望する箇所が有る場合には、メニューバーである選択表示ボタン14の中から要望や説明を伝えるのに適した図面が表示される画面を選択する。
【００４４】
例えば、図５においてマウスポインタ16を平面図ボタン14ｃに合わせてクリックすると、図６（ａ）に示すように、平面図からなる原画情報画面ａ３が表示される。
【００４５】
そして、原画情報に対して修正情報を付与しようとする場合には、図６（ａ）に示すように、マウスポインタ16を原画情報画面ａ３の右下のコメントボタン15b1に合わせてクリックすることで、図６（ｂ）に示すように、原画情報画面ａ３に関連付けられた未記入の修正情報画面ｂ３が呼び出されて該原画情報画面ａ３の上層に重ね合わされた状態で表示される。
【００４６】
これと同時に未記入の修正情報画面ｂ３が活性化してコメントボタン15b1がコメント保存・修正ボタン15b2に変わると共にマウスポインタ16が修正モードに変わり、修正情報やコメント等を付与することが出来る状態に遷移する（ステップＳ７）。
【００４７】
前記ステップＳ７において未記入の修正情報画面ｂ３を活性化した後、修正の対象となる位置にマウスポインタ16を合わせてクリックすることで位置指定すると（ステップＳ８）、図７（ａ）に示すように、その位置から自動的に引き出し線が引かれて修正番号「(1)」が設定されて位置マークが表示され（ステップＳ９）、その位置情報が管理サーバ１の記憶装置３の記憶エリアＣに記入済みの修正情報画面ｃ３として新たに記憶される（ステップＳ10）。
【００４８】
また、その場所でクリックする代りにドラッグして領域指定すると（ステップＳ11）、図７（ａ）に示すように、所定の領域を示すことが出来、その領域に対して自動的に引き出し線が引かれて修正番号「(2)」が設定されて指定エリアが表示され（ステップＳ12）、その指定エリア情報が管理サーバ１の記憶装置３の記憶エリアＣに記憶された記入済みの修正情報画面ｃ３に上書きして記憶される（ステップＳ13）。
【００４９】
図中に修正番号が設定されると、図７（ｂ）に示すように、コメント欄15ｃに修正番号順にコメント入力エリアが設定される。また、原画情報画面ａに対する修正は行わずにコメントのみを記録する場合には（ステップＳ14）、マウスポインタ16をコメント欄15ｃの領域内でクリックすると、コメント欄15ｃがアクティブに遷移して書き込み可能となり、入力したコメントが表示されると共に（ステップＳ15）、そのコメント内容が管理サーバ１の記憶装置３の記憶エリアＣに記入済みの修正情報画面ｃ３として新たに記憶される（ステップＳ16）。
【００５０】
コメントの入力は文字でも音声でも画像でも出来るようになっており、図７（ｂ）のコメント欄15ｃに設けられた「文字」、「音声」、「画像」の各ボタンをクリックして入力手段が選択出来るようになっている。
【００５１】
例えば、音声入力したい場合には、ステップＳ17において、マウスポインタ16をコメント欄15ｃの「音声」に合わせてクリックして音声指定すると、ステップＳ18において音声入力ルーチンが起動し、図示しないマイクロホン等を介して音声を入力して、その音声が管理サーバ１の記憶装置３の記憶エリアＣに記憶された記入済みの修正情報画面ｃ３に上書きして記憶される（ステップＳ19）。上記修正番号「(2)」ではコメント内容を音声入力した場合の一例を示す。
【００５２】
また、画像入力したい場合には、ステップＳ20において、マウスポインタ16をコメント欄15ｃの「画像」に合わせてクリックして画像指定すると、ステップＳ21において画像入力ルーチンが起動し、スキャナやデジタルカメラ、或いはデジタルビデオ等を介して画像を入力して、その画像が管理サーバ１の記憶装置３の記憶エリアＣに記憶された記入済みの修正情報画面ｃ３に上書きして記憶される（ステップＳ22）。
【００５３】
また、文字入力したい場合には、ステップＳ23において、マウスポインタ16をコメント欄15ｃの「文字」に合わせてクリックして文字指定すると、コメント欄15ｃがアクティブに遷移して書き込み可能となり、文字入力したコメントが表示されると共に、そのコメントが管理サーバ１の記憶装置３の記憶エリアＣに記憶された記入済みの修正情報画面ｃ３に上書きして記憶される（ステップＳ24）。上記修正番号「(1)」では、「この壁に収納がほしい」と文字入力した場合の一例を示す。
【００５４】
上記の各種入力が終了したら、図８（ａ）に示すように、マウスポインタ16をコメント保存・修正ボタン15b2に合わせてクリックし、これにより、この画面でのコメント付け作業は終了し、管理サーバ１の記憶装置３の記憶エリアＣに原画情報画面ａ３と関連付けられて修正情報やコメントが記録された記入済みの修正情報画面ｃ３が管理サーバ１の記憶装置３に記憶され、更に格納された年月日時刻からなる格納時刻Ｔや修正内容等の属性（追加、削除、移動）も関連付けられて記憶されて保存される。これと同時にマウスポインタ16が標準モードに遷移する。
【００５５】
また、他の原画情報画面ａに対してコメントや修正を付与したい場合には、図示しない継続ボタン等をクリックすることで、前記ステップＳ３に戻ってメニューバーである選択表示ボタン14から所望する図面のボタンを選択して前述したと同様の操作を行う。
【００５６】
図８（ｂ）はユーザから原画情報画面ａ３に対して修正の依頼が有った箇所をメーカー側で設計を修正した修正済みの原画情報画面ｄ３の上層にコメント欄15ｃに修正内容に関するコメントを文字入力した記入済みの修正情報画面ｃ３′を重ね合わせて表示した様子を示し、修正番号「(1)」に対しては「収納を付けました」とコメントされ、修正番号「(2)」に対しては「タイル色を変更しました」とコメントされた一例である。
【００５７】
ユーザ側で更にコメントが有れば、この最新の修正済みの原画情報画面ｄ３に基づいて、新たな未記入の修正情報画面ｂを重ね合わせて前述したと同様の操作によりコメント、修正を付与する。
【００５８】
また、メーカー側或いはユーザ側の端末装置５，６から特定の記入済みの修正情報画面ｃを呼び出す旨の命令が入力された場合には、その特定の記入済みの修正情報画面ｃに関連付けられて管理サーバ１の記憶装置３の記憶エリアＤに記憶された修正済みの原画情報画面ｄを呼び出して記入済みの修正情報画面ｃに重ね合わせるか、或いは並べるか、或いは交互に切り換えて端末装置５，６の表示装置11に表示出来るようになっている。
【００５９】
図９の左画面は原画情報画面ａ３にユーザが記録した記入済みの修正情報画面ｃ３を重ね合わせて表示したものであり、図９の右画面は修正済みの原画情報画面ｄ３にメーカー側が記録した記入済みの修正情報画面ｃ３′を重ね合わせて表示したものである。
【００６０】
そして、図９に示すように表示装置11の画面上の左右に修正前の画面と修正後の画面を並べて表示することで、ユーザの要望と、それに対する修正結果を同時に表示して確認することが出来る。また、表示装置11の画面が狭ければ、修正前の画面と修正後の画面を色違いにして重ね合わせることでも良いし、重ね合わせた状態で交互に切り換えて表示させることでも良い。
【００６１】
また、メーカー側或いはユーザ側の端末装置５，６から特定の原画情報画面ａまたは修正済みの原画情報画面ｄを呼び出す旨の命令が入力された場合には、その特定の原画情報画面ａまたは修正済みの原画情報画面ｄに関連付けられて管理サーバ１の記憶装置３の記憶エリアＡ，Ｄに記憶された原画情報画面ａ及び／または修正済みの原画情報画面ｄを適宜選択的に呼び出して原画情報画面ａ及び／または修正済みの原画情報画面ｄに重ね合わせるか、或いは並べるか、或いは交互に切り換えて端末装置５，６の表示装置11に表示出来るようになっている。
【００６２】
また、メーカー側或いはユーザ側の端末装置５，６から特定の記入済みの修正情報画面ｃを呼び出す旨の命令が入力された場合には、その特定の記入済みの修正情報画面ｃに関連付けられて管理サーバ１の記憶装置３の記憶エリアＣに記憶された記入済みの修正情報画面ｃを適宜選択的に呼び出して記入済みの修正情報画面ｃを相互に重ね合わせるか、或いは並べるか、或いは交互に切り換えて端末装置５，６の表示装置11に表示出来るようになっている。
【００６３】
また、管理サーバ１の制御装置となるサーバ装置２は、互いに関連付けられた原画情報画面ａ、記入済みの修正情報画面ｃ、修正済みの原画情報画面ｄのうち、少なくとも１つを時系列に並べてメーカー側或いはユーザ側の端末装置５，６の表示装置11に表示出来るようになっている。
【００６４】
上記構成によれば、管理サーバ１に記憶されている図面情報を含む原画情報に対してユーザ側の端末装置６から修正情報を付与することが出来、修正により原画情報等の基礎データが失われる虞がないため原画情報の保全を確保することが出来る。
【００６５】
即ち、管理サーバ１の記憶装置３に原画情報を表示する原画情報画面ａと、それに対応する未記入の修正情報画面ｂを記憶しておき、例えば、メーカー側及びユーザ側の端末装置５，６からインターネット13を介して管理サーバ１の記憶装置３に記憶された原画情報画面ａを呼び出すと、呼び出された原画情報画面ａに未記入の修正情報画面ｂが重ね合わされた状態（２層）になって表示される。
【００６６】
ユーザは原画情報画面ａと未記入の修正情報画面ｂとの重なりを意識することなく原画情報画面ａ上に修正情報を付与する感覚で未記入の修正情報画面ｂに修正情報を付与することが出来、原画情報は何ら修正されず、保全を確保することが出来る。記入済みの修正情報画面ｃは管理サーバ１の記憶装置３に記憶される。
【００６７】
一方、メーカー側の端末装置５から原画情報画面ａを呼び出す時も該原画情報画面ａに関連付けられた記入済みの修正情報画面ｃが原画情報画面ａに重なった状態で表示され、原画情報のどの部分に修正情報が付与されたかを容易に確認することが出来る。
【００６８】
また、記入済みの修正情報画面ｃに応じて修正した修正済みの原画情報画面ｄに該修正済みの原画情報画面ｄに関連付けられた未記入の修正情報画面ｂを重ね合わせて端末装置５，６に表示し、該端末装置５，６により未記入の修正情報画面ｂに修正情報を入力した記入済みの修正情報画面ｃを管理サーバ１の記憶装置３に記憶させる場合には、ユーザ側で修正情報が付与された記入済みの修正情報画面ｃに応じて修正した修正済みの原画情報画面ｄに未記入の修正情報画面ｂを重ね合わせて表示することで、メーカー側では修正済みの原画情報画面ｄと未記入の修正情報画面ｂとの重なりを意識することなく修正済みの原画情報画面ｄ上に修正情報を付与する感覚で未記入の修正情報画面ｂに修正情報を付与することが出来、修正済みの原画情報は何ら修正されず、保全を確保することが出来る。記入済みの修正情報画面ｃは管理サーバ１の記憶装置３に記憶される。
【００６９】
また、制御装置となるサーバ装置２がメーカー側或いはユーザ側の端末装置５，６から特定の記入済みの修正情報画面ｃを呼び出す旨の命令が入力された時に、その特定の記入済みの修正情報画面ｃに該記入済みの修正情報画面ｃに関連付けられて記憶装置３の記憶エリアＤに記憶された修正済みの原画情報画面ｄを重ね合わせるか、或いは並べるか、或いは交互に切り換えて端末装置５，６に表示させる場合には、修正済みの原画情報画面ｄと記入済みの修正情報画面ｃとを重ね合わせて、或いは並べて、或いは交互に切り換えて見ることで、指定した修正情報と原画情報の修正部とが一致しているか否かを容易に確認することが出来る。
【００７０】
また、制御装置となるサーバ装置２がメーカー側或いはユーザ側の端末装置５，６から特定の原画情報画面ａまたは修正済みの原画情報画面ｄの呼び出しがあった時に、その呼び出された原画情報画面ａまたは修正済みの原画情報画面ｄに該原画情報画面ａまたは修正済みの原画情報画面ｄに関連付けられた一連の原画情報画面ａまたは修正済みの原画情報画面ｄを適宜選択的に重ね合わせるか、或いは並べるか、或いは交互に切り換えて端末装置５，６に表示させる場合には、初めの原画情報画面ａ、その後、修正された過去の修正済みの原画情報画面ｄ、そして現在の修正済みの原画情報画面ｄを適宜選択的に重ね合わせて、或いは並べて、或いは交互に切り換えて見ることで、原画情報の修正の変遷を示す履歴を容易に確認することが出来る。
【００７１】
また、種類の異なる複数の原画情報画面ａ、或いは修正済みの原画情報画面ｄを適宜選択的に重ね合わせて、或いは並べて、或いは交互に切り換えて見ることで、異なる種類の原画情報相互間での整合性を容易に確認することが出来る。例えば、柱や耐力壁等からなる建物構造図と、これに対応する平面図とを重ね合わせて、或いは並べて、或いは交互に切り換えて見ることで例えば窓の位置と耐力壁の位置との整合性等を容易に確認することが出来るものである。また、設備図と平面図の重ね合わせにより家具を設置する予定の壁にコンセントを設置する等のケアレスミスを防止することも可能である。
【００７２】
また、制御装置となるサーバ装置２がメーカー側或いはユーザ側の端末装置５，６から特定の記入済みの修正情報画面ｃの呼び出しがあった時に、その呼び出された記入済みの修正情報画面ｃに該記入済みの修正情報画面ｃに関連付けられた一連の記入済みの修正情報画面ｃを適宜選択的に重ね合わせるか、或いは並べるか、或いは交互に切り換えて前記端末装置５，６に表示させる場合には、初めの記入済みの修正情報画面ｃ、そして、その後の記入済みの修正情報画面ｃを適宜選択的に重ね合わせて、或いは並べて、或いは交互に切り換えて見ることで、修正情報の変遷を示す履歴を容易に確認することが出来、これをデーターベース化してユーザのニーズ解析に役立てることも出来る。
【００７３】
また、制御装置となるサーバ装置２が互いに関連付けられた原画情報画面ａ、修正済みの原画情報画面ｄ、記入済みの修正情報画面ｃのうち少なくとも１つを時系列に並べてメーカー側或いはユーザ側の端末装置５，６に表示させる場合には、原画情報画面ａ、修正済みの原画情報画面ｄ、記入済みの修正情報画面ｃを適宜選択的に時系列に並べて見ることで一連の履歴を容易に確認することが出来る。
【００７４】
特に、原画情報画面ａと記入済みの修正情報画面ｃと修正済みの原画情報画面ｄとを時系列に並べて表示することで、ユーザとメーカー側との折衝履歴が容易に確認出来、折衝段階の事実査証ともなるので受注トラブルの発生を未然に防止することが出来る。
【００７５】
また、本発明に係る建築図面情報修正方法によれば、図面情報を含む原画情報を管理サーバ１に記憶しておき、インターネット13等の通信網を利用してユーザ側の端末装置６から原画情報を表示する原画情報画面ａと、それに関連付けられた未記入の修正情報画面ｂを重ねた状態で該未記入の修正情報画面ｂに修正情報を入力し、その記入済みの修正情報画面ｃを管理サーバ１の記憶装置３に記憶することで、その原画情報を損傷することなく保全を確保することが出来、遠隔地から通信網を介して図面情報に修正情報を付与した状態でメーカー側に修正内容を正確に伝えることが出来る。
【００７６】
また、記入済みの修正情報画面ｃに基づいて修正した修正済みの原画情報画面ｄに該記入済みの修正情報画面ｃを重ね合わせた状態で端末装置５，６に表示するように構成した場合には、メーカー側で修正した修正済みの原画情報画面ｄにユーザ側で記入した記入済みの修正情報画面ｃを重ね合わせて確認することが出来、更にはメーカー側で修正した修正済みの原画情報画面ｄにメーカー側で記入した記入済みの修正情報画面ｃを重ね合わせて確認することが出来る。
【００７７】
本発明によれば、ユーザ側での修正コメント入力→メーカー側での情報修正→ユーザ側での修正確認のサイクルで、ユーザとメーカー側間で繰り返され、夫々の段階で記録、表示、出力、蓄積を行うことで、全履歴を記憶して種々の目的で利用することが可能である。
【００７８】
また、本実施形態では、原画情報画面ａ及び一度保存した記入済みの修正情報画面ｃは、更新が出来ないようになっており、管理サーバ１へのアクセスも予め会員登録されたユーザに付与されるパスワードが必要であるため、セキュリティー性が極めて高い。
【００７９】
尚、必要に応じてユーザに付与されるパスワードの認証を行って一度保存した記入済みの修正情報画面ｃを更新出来るように構成しても良い。
【００８０】
また、図２に示す管理サーバ１の記憶装置３に記憶された格納時刻Ｔを利用して時系列で抽出して整列をかけた場合には、記入済みの修正情報画面ｃと修正済みの原画情報画面ｄとを交互に時系列で表示することが出来、折衝履歴の確認が容易に出来、その状態で記憶装置３の別の記憶エリアに記憶して保存することで折衝事実を所定期間保存することも出来る。
【００８１】
また、管理サーバ１の記憶装置３に記憶された抽出コードを利用して、「追加」、「削除」、「移動」等のテキスト条件で抽出することで、修正内容毎に分類して過去の修正内容の検索効率を向上することが出来、今後の修正内容の傾向と対策を予測することも出来る。
【００８２】
【発明の効果】
本発明は、上述の如き構成と作用とを有するので、管理サーバに記憶されている図面情報を含む原画情報に対して端末装置から修正情報を付与することが出来、修正により原画情報等の基礎データが失われる虞がない建築図面情報修正装置及び建築図面情報修正方法を提供することが出来る。
【００８３】
即ち、ユーザは原画情報画面と修正情報画面との重なりを意識することなく原画情報画面上に修正情報を付与する感覚で修正情報画面に修正情報を付与することが出来、原画情報は何ら修正されず、保全を確保することが出来る。
【００８４】
一方、メーカー側の端末装置から原画情報画面を呼び出す時も該原画情報画面に関連付けられた記入済みの修正情報画面が原画情報画面に重なった状態で表示され、原画情報のどの部分に修正情報が付与されたかを容易に確認することが出来る。
【００８５】
また、記入済みの修正情報画面に応じて修正した修正済みの原画情報画面に該修正済みの原画情報画面に関連付けられた未記入の修正情報画面を重ね合わせて端末装置に表示し、該端末装置によりその未記入の修正情報画面に修正情報を入力した記入済みの修正情報画面を記憶装置に記憶させる場合には、ユーザ側で修正情報が付与された記入済みの修正情報画面に応じて修正した原画情報画面に未記入の修正情報画面を重ね合わせて表示することで、メーカー側では修正済みの原画情報画面と修正情報画面との重なりを意識することなく修正済みの原画情報画面上に修正情報を付与する感覚で修正情報画面に修正情報を付与することが出来、修正済みの原画情報は何ら修正されず、保全を確保することが出来る。
【００８６】
また、制御装置が互いに関連付けられた原画情報画面、修正済みの原画情報画面、記入済みの修正情報画面のうち少なくとも１つを時系列に並べて端末装置に表示させる場合には、原画情報画面、修正済みの原画情報画面、記入済みの修正情報画面を適宜選択的に時系列に並べて見ることで一連の履歴を容易に確認することが出来る。
【００８７】
特に、原画情報画面と記入済みの修正情報画面と修正済みの原画情報画面とを時系列に並べて表示することでユーザとメーカー側との折衝履歴が容易に確認出来、折衝の事実査証ともなるので受注トラブルの発生を未然に防止することが出来る。
【００８８】
また、本発明に係る建築図面情報修正方法によれば、図面情報を含む原画情報を管理サーバに記憶しておき、通信網を利用して端末装置から原画情報を表示する原画情報画面と、それに関連付けられた未記入の修正情報画面を重ねた状態で該未記入の修正情報画面に修正情報を入力し、その記入済みの修正情報画面を管理サーバの記憶装置に記憶することで、その原画情報を損傷することなく保全を確保することが出来、遠隔地から通信網を介して図面情報に修正情報を付与した状態で相手に修正内容を正確に伝えることが出来る。
【００８９】
また、記入済みの修正情報画面に基づいて修正した修正済みの原画情報画面に該記入済みの修正情報画面を重ね合わせた状態で端末装置に表示するように構成した場合には、メーカー側で修正した修正済みの原画情報画面にユーザ側で記入した記入済みの修正情報画面を重ね合わせて確認することが出来、更にはメーカー側で修正した修正済みの原画情報画面にメーカー側で記入した記入済みの修正情報画面を重ね合わせて確認することが出来る。
【図面の簡単な説明】
【図１】  本発明に係る建築図面情報修正装置の構成を示すブロック図である。
【図２】  管理サーバに設けられた記憶装置の構成を示すブロック図である。
【図３】  原画情報画面と未記入の修正情報画面とを重ね合わせた重ね合わせ画面の原理を説明する図である。
【図４】  ユーザ側の端末装置から原画情報画面を確認すると同時に未記入の修正情報画面に修正情報を入力する様子を示すフローチャートである。
【図５】  初期画面として立体外観図が表示された様子を示す図である。
【図６】  （ａ），（ｂ）は平面図を選択して修正情報を入力するために修正情報画面を活性化する様子を示す図である。
【図７】  （ａ），（ｂ）は修正情報を入力する様子を示す図である。
【図８】  （ａ）は入力した修正情報を保存する様子を示す図、（ｂ）は修正情報に応じてユーザの希望通りに修正した修正済みの原画情報画面により修正結果を確認する様子を示す図である。
【図９】  折衝履歴を説明する図である。
【符号の説明】
１…管理サーバ
２…サーバ装置
３…記憶装置
４…通信モデム
５…メーカー側端末装置
６…ユーザ側端末装置
７…ＣＰＵ
８…メモリ
９…キーボード
10…マウス
11…表示装置
12…プリンタ
13…インターネット
14…選択表示ボタン
14ａ…立体外観ボタン
14ｂ…敷地図ボタン
14ｃ…平面図ボタン
14ｄ…立面図ボタン
14ｅ…立体内観ボタン
15ａ…活性エリア
15b1…コメントボタン
15b2…コメント保存・修正ボタン
15ｃ…コメント欄
16…マウスポインタ
Ａ〜Ｄ…記憶エリア
ａ，ａ１，ａ２，ａ３，…，ａｎ…原画情報画面
ｂ，ｂ１，ｂ２，ｂ３，…，ｂｎ…未記入の修正情報画面
ｃ，ｃ１，ｃ１′，ｃ１″，…，ｃ２，ｃ２′，ｃ２″，…，ｃ３，ｃ３′，ｃ３″，…，ｃｎ，ｃｎ′，ｃｎ″，…記入済みの修正情報画面
ｄ，ｄ１，ｄ１′，ｄ１″，…，ｄ２，ｄ２′，ｄ２″，…，ｄ３，ｄ３′，ｄ３″，…，ｄｎ，ｄｎ′，ｄｎ″，…修正済みの原画情報画面
【図１】
0004587554.tif 000002
【図２】
0004587554.tif 000003
【図３】
0004587554.tif 000004
【図４】
0004587554.tif 000005
【図５】
0004587554.tif 000006
【図６】
0004587554.tif 000007
【図７】
0004587554.tif 000008
【図８】
0004587554.tif 000009
【図９】
0004587554.tif 000010